(57)【要約】【課題】防水性が確保されているかを判定すること。【解決手段】１つの態様に係る携帯電子機器１は、開口部を有する筐体２０と、開口部を封止する封止部材２１と、筐体２０の内部にもうけられる気圧センサ１８と、所定の操作が行われたときの気圧センサ１８の検出値に基づいて、開口部が封止部材２１によって封止されているか否かを判定するコントローラとを備える。【選択図】図３
2015122582.tif 000002
【特許請求の範囲】
【請求項１】
開口部を有する筐体と、
前記開口部を封止する封止部材と、
前記筐体の内部にもうけられる気圧センサと、
所定の操作が行われたときの前記気圧センサの検出値に基づいて、前記開口部が前記封止部材によって封止されているか否かを判定するコントローラと
を備える携帯電子機器。
【請求項２】
前記所定の操作は、電源ボタンを押下する操作である請求項１に記載の携帯電子機器。
【請求項３】
前記所定の操作は、ロック解除操作である請求項１に記載の携帯電子機器。
【請求項４】
前記コントローラは、第１のプロセッサと、前記第１のプロセッサよりも消費電力の少ない第２のプロセッサとを含み、前記第２のプロセッサを用いて前記気圧センサの検出値を常時取得する請求項１から３のいずれか１項に記載の携帯電子機器。
【請求項５】
前記所定の操作は、第１の操作と、前記第１の操作に続けて行われる第２の操作とを含み、
前記コントローラは、前記第１の操作が行われたときに前記気圧センサを起動させ、前記第２の操作が行われたときの前記気圧センサの検出値に基づいて、前記開口部が前記封止部材によって封止されているか否かを判定する請求項１から３のいずれか１項に記載の携帯電子機器。
【請求項６】
湿度センサをさらに備え、
前記コントローラは、前記湿度センサが検出する湿度が閾値よりも高い場合に、前記判定を行う請求項１から３のいずれか１項に記載の携帯電子機器。
【請求項７】
開口部を有する筐体と、前記開口部を封止する封止部材とを備える携帯電子機器の防水性判定方法であって、
所定の操作を検出するステップと、
前記所定の操作が行われたときの前記筐体内の気圧の変動の有無に基づいて、前記開口部が前記封止部材によって封止されているか否かを判定するステップと
を含む防水性判定方法。
【発明の詳細な説明】
【技術分野】
【０００１】
本出願は、携帯電子機器及びその防水性判定方法に関する。
【背景技術】
【０００２】
携帯電話等の携帯電子機器には、防水性を有するものがある。例えば、特許文献１では、開口部が形成された筐体にキャップを装着することによって防水性を確保する携帯電子機器が開示されている。
【先行技術文献】
【特許文献】
【０００３】
【特許文献１】特開２０１３−１５０３５５号公報
【発明の概要】
【発明が解決しようとする課題】
【０００４】
キャップのような着脱可能な部材を装着することによって防水性を確保する携帯電子機器では、部材が適切に装着されていない場合に十分な防水性が確保されない場合がある。そのような状態に気付かずに利用者が携帯電子機器を使用すると、水の侵入によって携帯電子機器に支障が生じる可能性がある。
【０００５】
上記のことから、防水性が確保されているかを判定する携帯電子機器及び防水性判定方法に対するニーズがある。
【課題を解決するための手段】
【０００６】
１つの態様に係る携帯電子機器は、開口部を有する筐体と、前記開口部を封止する封止部材と、前記筐体の内部にもうけられる気圧センサと、所定の操作が行われたときの前記気圧センサの検出値に基づいて、前記開口部が前記封止部材によって封止されているか否かを判定するコントローラとを備える。
【０００７】
１つの態様に係る防水性判定方法は、開口部を有する筐体と、前記開口部を封止する封止部材とを備える携帯電子機器の防水性判定方法であって、所定の操作を検出するステップと、前記所定の操作が行われたときの前記筐体内の気圧の変動の有無に基づいて、前記開口部が前記封止部材によって封止されているか否かを判定するステップとを含む。
【図面の簡単な説明】
【０００８】
【図１】図１は、実施形態に係るスマートフォンの斜視図である。
【図２】図２は、スマートフォンの正面図である。
【図３】図３は、スマートフォンの断面の模式図である。
【図４】図４は、スマートフォンのブロック図である。
【図５】図５は、ハウジングの内部の気圧の変動の例を示す図である。
【図６】図６は、防水性が確保されているか否かを判定する処理手順を示すフローチャートである。
【図７】図７は、図６に示す処理手順の変形例を示す図である。
【図８】図８は、図６に示す処理手順の具体例を示す図である。
【図９】図９は、図６に示す処理手順の具体例を示す図である。
【図１０】図１０は、図６に示す処理手順の変形例を示す図である。
【発明を実施するための形態】
【０００９】
本発明を実施するための実施形態を、図面を参照しつつ詳細に説明する。以下では、防水性を備える携帯電子機器の例として、スマートフォンについて説明する。
【００１０】
（実施形態）
図１から図３を参照しながら、実施形態に係るスマートフォン１の全体的な構成について説明する。図１は、スマートフォン１の斜視図である。図２は、スマートフォン１の正面図である。図３は、図２に示したスマートフォン１のＡ−Ａ断面を模式的に示す図である。図３では、スマートフォン１の内部の基板、回路、配線等の図示を省略している。
【００１１】
図１から図３に示すように、スマートフォン１は、ハウジング（筐体）２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１２】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、ボタン３Ｄ〜３Ｆをサイドフェイス１Ｃに有する。以下では、ボタン３Ａ〜３Ｆを、どのボタンであるかを特定することなく、ボタン３と総称することがある。
【００１３】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１４】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１５】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト」又は「接触物」と呼ぶことがある。
【００１６】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１７】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００１８】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間より長く触れるジェスチャである。スマートフォン１は、タッチスクリーン２Ｂに指が一定時間より長く接触するジェスチャをロングタッチとして判別する。
【００１９】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２０】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２１】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２２】
「フリック」は、指が、タッチスクリーン２Ｂに触れた後移動しながらタッチスクリーン２Ｂから離れるジェスチャである。すなわち、「フリック」は、タッチに続いて指が移動しながらリリースが行われるジェスチャである。スマートフォン１は、指が、タッチスクリーン２Ｂに触れた後移動しながらタッチスクリーン２Ｂから離れるジェスチャをフリックとして判別する。フリックは、指が一方方向へ移動しながら行われることが多い。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。フリックにおける指の移動は、スワイプにおける指の移動よりも素早いことが多い。
【００２３】
「ピンチイン」は、複数の指が互いに近付く方向にスワイプするジェスチャである。スマートフォン１は、タッチスクリーン２Ｂにより検出されるある指の位置と他の指の位置との間の距離が短くなるジェスチャをピンチインとして判別する。「ピンチアウト」は、複数の指が互いに遠ざかる方向にスワイプするジェスチャである。スマートフォン１は、タッチスクリーン２Ｂにより検出されるある指の位置と他の指の位置との間の距離が長くなるジェスチャをピンチアウトとして判別する。
【００２４】
以下の説明では、１本の指により行われるジェスチャを「シングルタッチジェスチャ」と呼び、２本以上の指により行われるジェスチャを「マルチタッチジェスチャ」と呼ぶことがある。マルチタッチジェスチャは、例えば、ピンチインおよびピンチアウトを含む。タップ、フリックおよびスワイプ等は、１本の指で行われればシングルタッチジェスチャであり、２本以上の指で行われればマルチタッチジェスチャである。
【００２５】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂが接触を検出し、検出された接触に基づいてジェスチャの種別をスマートフォン１がＸと判別すること」を、「スマートフォンがＸを検出する」、又は「コントローラがＸを検出する」と記載することがある。
【００２６】
スマートフォン１は、サイドフェイス１Ｃに封止部材２１を有する。封止部材２１は、ハウジング２０に着脱可能に設けられている。封止部材２１は、弾性部材２１ｐを有しており、封止部材２１がハウジング２０に適切に装着されると、弾性部材２１ｐがハウジング２０の開口部の壁面等に圧着されて開口部を封止するように構成されている。弾性部材２１ｐは、例えば、ゴム等の可塑性を有する樹脂から形成される。
【００２７】
ハウジング２０の開口部以外の部分は、一体成形又は接着材、両面テープ等による接着により水が内部に浸入しないように構成されている。しかしながら、ハウジング２０の開口部には、例えば、コネクタ１４が設けられており、ここから内部に水が浸入する可能性がある。開口部に封止部材２１を適切に装着することにより、開口部からの水の浸入が防止され、スマートフォン１の防水性が確保される。
【００２８】
スマートフォン１の防水性が確保されている場合、ハウジング２０の内部はほぼ気密となる。この場合、利用者の操作等によって圧迫されたハウジング２０が変形すると、ハウジング２０の内部の空気が外部に逃れることができないために、ハウジング２０の内部の気圧が変動する。一方、封止部材２１が適切に装着されていない等の理由でスマートフォン１の防水性が確保されていない場合、ハウジング２０の内部は気密とはならない。この場合、ハウジング２０が変形しても、ハウジング２０の内部の空気は外部に逃れるために、ハウジング２０の内部の気圧はほとんど変動しない。
【００２９】
ここでは、ハウジング２０の内部がほぼ気密となっている場合を例に挙げたが、本実施形態はこれに限定されない。例えば、防水性を有すると共に透湿性を有する機能性素材によって、ハウジング２０の開口を覆うことでスマートフォン１が封止されていてもよい。この場合も、ハウジング２０の内部の気圧は、開口が開放されている場合と比べて変化する。例えば、開口が開放されている場合に比べて気体が抜けにくくなるため、ハウジング２０の内部には、開口が開放されている場合に比べて気圧が一時的に高くなるなどの現象が生じる。
【００３０】
スマートフォン１は、このような気圧の変動の相違に基づいて、スマートフォン１の防水性が確保されているか否かを判定する。スマートフォン１の防水性が確保されているということは、換言すると、封止部材２１がハウジング２０に適切に装着されていることを意味する。
【００３１】
具体的には、スマートフォン１は、ハウジング２０の内部に気圧センサ１８を有する。そして、スマートフォン１は、スマートフォン１に対する所定の操作が行われたときにハウジング２０の内部で気圧の変動があったか否かを気圧センサ１８の検出値に基づいて判定する。所定の操作とは、ハウジング２０に何らかの変形をもたらす操作である。気圧の変動があった（又は閾値よりも大きい）場合、スマートフォン１の防水性が確保されていると判定される。気圧の変動がない（又は閾値よりも小さい）場合、スマートフォン１の防水性が確保されていないと判定される。
【００３２】
図３に示した例では、気圧センサ１８は、ハウジング２０の内壁に搭載されているが、気圧センサ１８の搭載位置は、ハウジング２０の内部のどこであってもよい。例えば、気圧センサ１８は、ハウジング２０の内部に設けられた基板に搭載されてもよい。
【００３３】
図４は、スマートフォン１のブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７と、気圧センサ１８と、湿度センサ１９とを有する。
【００３４】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、接触を検出する。コントローラ１０は、スマートフォン１に対するジェスチャを検出する。具体的には、コントローラ１０は、タッチスクリーン２Ｂと協働することによって、タッチスクリーン２Ｂ（タッチスクリーンディスプレイ２）に対する操作（ジェスチャ）を検出する。
【００３５】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００３６】
ボタン３Ａ〜３Ｃは、例えば、ホームボタン、バックボタンまたはメニューボタンである。ボタン３Ｄは、例えば、スマートフォン１のパワーオン／オフボタン（電源ボタン）である。ボタン３Ｄは、スリープ／スリープ解除ボタンを兼ねてもよい。ボタン３Ｅ及び３Ｆは、例えば、音量ボタンである。
【００３７】
照度センサ４は、スマートフォン１の周囲光の照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、磁界の変化または超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００３８】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。通信ユニット６は、有線による通信をサポートしてもよい。有線による通信は、例えば、イーサネット（登録商標）、ファイバーチャネル等を含む。
【００３９】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００４０】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００４１】
ストレージ９に記憶されるプログラムには、フォアグランド又はバックグランドで実行されるアプリケーションと、スマートフォン１の基本的な機能を実現させるための制御プログラムとが含まれる。アプリケーションは、例えば、ディスプレイ２Ａに画面を表示させ、タッチスクリーン２Ｂを介して検出されるジェスチャに応じた処理をコントローラ１０に実行させる。制御プログラムは、例えば、ＯＳである。アプリケーション及び制御プログラムは、通信ユニット６による通信又は非一過的な記憶媒体を介してストレージ９にインストールされてもよい。
【００４２】
ストレージ９は、例えば、制御プログラム９Ａ、メールアプリケーション９Ｂ、ブラウザアプリケーション９Ｃ、及び設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。設定データ９Ｚは、スマートフォン１の動作に関する各種の設定に関する情報を含む。
【００４３】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、気圧センサ１８の検出値を用いてハウジング２０の防水性が確保されているか否かを判定する機能が含まれる。
【００４４】
コントローラ１０は、スマートフォン１の動作を統括的に制御して各種の機能を実現する。
【００４５】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６、及びジャイロスコープ１７を含むが、これらに限定されない。
【００４６】
コントローラ１０は、メインプロセッサ１０ａと、コプロセッサ１０ｂとを有する。メインプロセッサ１０ａ及びコプロセッサ１０ｂは、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。
【００４７】
メインプロセッサ１０ａは、例えば、制御プログラム９Ａを実行することにより、気圧センサ１８の検出値を用いてハウジング２０の防水性が確保されているか否かを判定する等の各種制御を実行する。
【００４８】
コプロセッサ１０ｂは、演算処理性能ではメインプロセッサ１０ａに劣るが、メインプロセッサ１０ａよりも少ない消費電力で動作する。そのため、消費電力削減のためにメインプロセッサ１０ａが停止又は処理速度を減速させているときにも、コプロセッサ１０ｂは、通常通りに動作することが許される。このように常時動作することに適した特性から、コプロセッサ１０ｂは、例えば、各種センサの検出値の取得及び分析、分析結果に応じた処理の実行等に用いられる。
【００４９】
カメラ１２は、フロントフェイス１Ａに面している物体を撮影するインカメラである。カメラ１３は、バックフェイス１Ｂに面している物体を撮影するアウトカメラである。
【００５０】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００５１】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５２】
気圧センサ１８は、ハウジング２０の内部の気圧を検出する。湿度センサ１９は、ハウジング２０の外部の湿度を検出する。
【００５３】
図４においてストレージ９が記憶するプログラム及びデータの一部又は全部は、通信ユニット６による通信で他の装置からダウンロードされてもよい。図４においてストレージ９が記憶するプログラム及びデータの一部又は全部は、ストレージ９に含まれる読み取り装置が読み取り可能な非一過的な記憶媒体に記憶されていてもよい。図４においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００５４】
図４に示したスマートフォン１の構成は例であり、本発明の要旨を損なわない範囲において適宜変更してよい。例えば、ボタン３の数と種類は図２の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図４に示した例では、スマートフォン１が２つのカメラを備えるが、スマートフォン１は、１つのカメラのみを備えてもよいし、カメラを備えなくてもよい。図４に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００５５】
図５を参照しながら、ハウジング２０の内部の気圧の変動について説明する。図５は、防水性が確保されているスマートフォン１に対して所定の操作が行われた場合のハウジング２０の内部の気圧の変動の例を示す図である。
【００５６】
図５のＴ１は、所定の操作が開始された時点を示している。図５に示す例では、Ｔ１で開始された所定の操作によってハウジング２０が圧迫されて変形し、ハウジング２０の内部の気圧が高まっている。
【００５７】
図５のＴ２は、所定の操作が終了した時点を示している。図５に示す例では、Ｔ２での所定の操作の終了によってハウジング２０の変形の反動が生じ、Ｔ２からＴ３までは、ハウジング２０の内部の気圧がＴ１以前よりも低くなっている。その後、ハウジング２０は元の形状に戻り、Ｔ４の時点では、ハウジング２０の内部の気圧はＴ１の時点の気圧に戻っている。
【００５８】
ハウジング２０の容量は比較的小さく、さらに、ハウジング２０の内部には電子部品、バッテリ等が高密度で搭載されているため、操作にともなうハウジング２０の変形は僅かであっても、比較的大きな気圧の変動が検出される。例えば、タッチスクリーンディスプレイ２をタップする操作により、５乃至２０ｈＰａの範囲での気圧の変動が検出される。
【００５９】
スマートフォン１は、ハウジング２０の防水性が確保されているか否かを判定するために、図５に示した気圧の変動のどの部分を検出してもよい。例えば、スマートフォン１は、Ｔ１とＴ４の間の複数の時点での気圧センサ１８の検出値を取得し、取得した検出値の変化のパターンに基づいて、ハウジング２０の内部の気圧の変動があったか否かを判定してもよい。例えば、スマートフォン１は、Ｔ１とＴ４の間のいずれかの時点での気圧センサ１８の検出値を取得し、取得した検出値が閾値よりも大きい又は小さい場合に、ハウジング２０の内部の気圧の変動があったか否かを判定してもよい。閾値は、ハウジング２０の外部の気圧に、又は、平常時のハウジング２０の内部の気圧に応じて決定してもよい。
【００６０】
スマートフォン１は、ハウジング２０の防水性が確保されているか否かを判定するために、コプロセッサ１０ｂを用いて気圧センサ１８の検出値を常時取得してもよい。ここでいう「常時」とは、ロック状態のようにメインプロセッサ１０ａが消費電力削減のためにほとんどの動作を休止させている期間も含めて、数ミリ秒乃至数１００ミリ秒毎に処理が実行されることを意味する。コプロセッサ１０ｂを用いて気圧センサ１８の検出値を常時取得することにより、消費電力をほとんど増加させることなく、ハウジング２０の内部の気圧の変動の検出漏れが生じる可能性を低減できる。
【００６１】
図６を参照して、ハウジング２０の防水性が確保されているか否かを判定する処理手順について説明する。図６は、ハウジング２０の防水性が確保されているか否かを判定する処理手順を示すフローチャートである。図６に示す処理手順は、例えば、コントローラ１０が制御プログラム９Ａを実行することによって実現される。図６に示す処理手順は、繰り返して実行される。
【００６２】
スマートフォン１のコントローラ１０は、ステップＳ１１０として、所定の操作が検出されたかを判定する。所定の操作とは、それの実行にともなってハウジング２０の変形が生じる操作である。所定の操作には、例えば、タッチスクリーン２Ｂに対する操作、及びボタン３に対する操作が含まれるが、これらに限定されない。所定の操作が検出されていない場合（ステップＳ１１０，Ｎｏ）、コントローラ１０は、ステップＳ１１０の判定を再び行う。
【００６３】
所定の操作が検出された場合（ステップＳ１１０，Ｙｅｓ）、コントローラ１０は、ステップＳ１２０に進む。コントローラ１０は、ステップＳ１２０として、気圧センサ１８の検出値に基づいて、ハウジング２０の内部の気圧の変動が検出されたかを判定する。ハウジング２０の内部の気圧の変動が検出された場合（ステップＳ１２０，Ｙｅｓ）、コントローラ１０は、ステップＳ１３０として、ハウジング２０の防水性が確保されている、すなわち、正常であると判定する。ハウジング２０の内部の気圧の変動が検出されない場合（ステップＳ１２０，Ｎｏ）、コントローラ１０は、ステップＳ１４０として、ハウジング２０の防水性が確保されていない、すなわち、異常であると判定する。
【００６４】
コントローラ１０は、ステップＳ１３０又はステップＳ１４０の判定結果に基づいて他の処理を行ってもよい。例えば、コントローラ１０は、ステップＳ１４０として、ハウジング２０の防水性が確保されていないと判定した場合に、音、ランプの点灯、ディスプレイ２Ａ上の警告表示等により、利用者に警告をしたり、封止部材２１の装着状態の確認を促したりしてもよい。
【００６５】
図７から図１０を参照しながら、図６に示した処理手順の具体例及び変形例について説明する。
【００６６】
図６に示した処理手順は、メインプロセッサ１０ａ及びコプロセッサ１０ｂのいずれか一方が行ってもよいし、両者によって分担して行われてもよい。図７は、分担して処理が行われる場合の処理手順を示すフローチャートである。
【００６７】
コプロセッサ１０ｂは、ステップＳ２１０として、気圧センサ１８の検出値である気圧値を取得し、ステップＳ２２０として、所定期間の気圧値を記録する。所定期間は、例えば、図５に示したＴ１からＴ４までの長さの期間である。そして、コプロセッサ１０ｂは、ステップＳ２３０として、動作を終了するかを判定する。動作を終了しない場合（ステップＳ２３０，Ｎｏ）、コプロセッサ１０ｂは、ステップＳ２１０に戻る。動作を終了する場合（ステップＳ２３０，Ｙｅｓ）、コプロセッサ１０ｂは、処理を終了させる。
【００６８】
一方、メインプロセッサ１０ａは、ステップＳ１１０とステップＳ１２０の間で、ステップＳ１１８として、コプロセッサ１０ｂがステップＳ２２０で記録した気圧値を取得する点を除いて、図６に示したものと同様の処理手順を実行する。
【００６９】
このように、コプロセッサ１０ｂを用いて気圧値を常時取得することにより、消費電力をほとんど増加させることなく、気圧値の取得漏れを防止して防水性の判定精度を向上させることができる。
【００７０】
所定の操作は、利用者がスマートフォン１を使用する際に通常行う操作であることが好ましい。通常行う操作をトリガとして気圧の変動の有無を判定することにより、利用者が特に意図的に操作を行わなくても、防水性の判定を実行することができる。
【００７１】
例えば、図８に示すフローチャートのように、ステップＳ１１２として、ボタン３を押下する操作を所定の操作として処理してもよい。ステップＳ１１２で押下を検出するボタン３は、いずれであってもよい。ステップＳ１１２で押下を検出するボタン３は、電源ボタン３Ｄであってもよい。電源ボタン３Ｄは、押下される頻度は低いが、電源投入時、ロック状態からの復帰時等の重要な場面で確実に押下されるため、その押下は、気圧の変動の有無を判定するトリガとして好適である。また、封止部材２１は、充電端子を封止するために設けられている場合がある。この場合、電源ボタン３Ｄの押下時に気圧の変動の有無を判定することにより、充電後に封止部材２１が適切に装着されていない状態を、充電完了後の電源投入時に検出できる。
【００７２】
あるいは、図９に示すフローチャートのように、ステップＳ１１４として、ロック解除操作を所定の操作として処理してもよい。ロック解除操作とは、タッチスクリーンディスプレイ２を停止する等して消費電力を削減しているロック状態から通常の状態へスマートフォン１を復帰させる操作である。ロック解除操作は、実行される頻度は高くないが、ロック状態からの復帰のために確実に実行されるため、気圧の変動の有無を判定するトリガとして好適である。
【００７３】
ロック解除操作は、タッチスクリーンディスプレイ２を復帰させる操作と、復帰したタッチスクリーンディスプレイ２に対してタップ又はスワイプ等を行う操作とを含むことが多い。このうち、タッチスクリーンディスプレイ２を復帰させる操作には、例えば、ボタン３を押下する操作、タッチスクリーンディスプレイ２等を複数回タップする操作が含まれる。タッチスクリーンディスプレイ２を復帰させるために行われるタップは、タッチスクリーンディスプレイ２は停止中であるため、例えば、加速度センサ１５を用いて検出される。ロック状態でもコプロセッサ１０ｂにより加速度センサ１５の検出値を常時取得することにより、消費電力をほとんど増加させることなく、タッチスクリーンディスプレイ２等に対するタップを検出することができる。
【００７４】
図９に示した処理手順が採用される場合、スマートフォン１は、ロック状態においては気圧センサ１８を停止させ、ロック解除操作のうち、タッチスクリーンディスプレイ２を復帰させる操作を検出した場合に気圧センサ１８を起動してもよい。このように構成することにより、消費電力を削減しつつ、ロック解除操作のうち、復帰したタッチスクリーンディスプレイ２に対してタップ又はスワイプ等を行う操作が行われたときに、気圧センサ１８の検出値を取得することができる。
【００７５】
図１０に示すように、湿度が閾値よりも高い場合に図６に示した処理手順を実行してもよい。湿度が閾値よりも高いか否かは、湿度センサ１９の検出値に基づいて判定することができる。このように構成することにより、浴室、川辺、海辺等の水濡れが生じやすい場面において、ハウジング２０の防水性の判定を実行することができる。さらに、その他の場面では、気圧の変動を判定する必要がないため、気圧センサ１８を停止して消費電力を削減することができる。また、室内にいる場合よりも野外にいる場合の方が雨等によってスマートフォン１が濡れる可能性が高い。このため、スマートフォン１は、照度センサ４、又は紫外線センサ等の他のセンサを用いて野外であるかを判定し、野外である場合に図６に示した処理手順を実行してもよい。
【００７６】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【００７７】
例えば、図４に示した各プログラムは、複数のモジュールに分割されていてもよいし、他のプログラムと結合されていてもよい。
【００７８】
上記の実施形態では、携帯電子機器の例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機を含むが、これらに限定されない。
【００７９】
気圧センサ１８は、所定の操作によってハウジング２０が変形する箇所の近傍に設けられてもよい。ハウジング２０が変形する箇所に近いほど気圧の変動が顕著であるため、ハウジング２０が変形する箇所の近傍に気圧センサ１８を設けることにより、気圧の変動をより高精度に検出することができる。所定の操作が検出された位置と気圧センサ１８との距離に応じて、気圧センサ１８の検出値を補正してもよい。具体的には、所定の操作が検出された位置が気圧センサ１８から遠い場合には、所定の操作が近傍で検出された場合の気圧センサ１８の検出値と同等の値になるように、気圧センサ１８の検出値をより大きく補正してもよい。
【００８０】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【００８１】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  メールアプリケーション
９Ｃ  ブラウザアプリケーション
９Ｚ  設定データ
１０  コントローラ
１０ａ  メインプロセッサ
１０ｂ  コプロセッサ
１１  スピーカ
１２、１３  カメラ
１４  コネクタ
１５  加速度センサ
１６  方位センサ
１７  ジャイロスコープ
１８  気圧センサ
１９  湿度センサ
２０  ハウジング
２１  封止部材
２１ｐ  弾性部材
【図１】
2015122582.tif 000003
【図２】
2015122582.tif 000004
【図３】
2015122582.tif 000005
【図４】
2015122582.tif 000006
【図５】
2015122582.tif 000007
【図６】
2015122582.tif 000008
【図７】
2015122582.tif 000009
【図８】
2015122582.tif 000010
【図９】
2015122582.tif 000011
【図１０】
2015122582.tif 000012